(57)【要約】【課題】  接続対象機器が複数存在する環境下でも、データの送信元だけがバッテリを多大に消費することなく、各々のバッテリ残量を考慮した上でデータの送受信をすることを可能にした無線端末装置、無線端末装置の制御方法及びそのプログラムを提供することである。【解決手段】  無線通信デバイスと通信するための無線通信手段と、前記通無線信手段で取得した少なくともバッテリ残量情報を含む複数装置の情報を記憶する情報記憶手段と、前記複数装置にデータを送信する際、前記複数のそれぞれの装置に対し、どの装置がデータ送信する、あるいは、どのタイミングでデータ送信する、の少なくともどちらかを決定し記憶するデータ送信制御記憶手段とを有し、所定装置にデータを送信する際、前記データ送信制御記憶手段の記憶情報を付加して送信することを特徴とする無線端末装置。【選択図】  図１
2013183302.tif 000002
【特許請求の範囲】
【請求項１】
無線通信デバイスと通信するための無線通信手段と、
前記通無線信手段で取得した少なくともバッテリ残量情報を含む複数装置の情報を記憶する情報記憶手段と、
前記複数装置にデータを送信する際、前記複数のそれぞれの装置に対し、どの装置がデータ送信する、あるいは、どのタイミングでデータ送信する、の少なくともどちらかを決定し記憶するデータ送信制御記憶手段と、
を有し、
所定装置にデータを送信する際、前記データ送信制御記憶手段の記憶情報を付加して送信することを特徴とする無線端末装置。
【請求項２】
各種情報を表示する表示手段と、前記表示手段に表示された情報を参照し、前記情報内容を変更する情報変更手段と、を有し、前記表示手段に前記データ送信制御記憶手段の記憶情報を表示し、前記情報変更手段で前記記憶情報手段の記憶情報を変更することを特徴とする請求項１に記載の無線端末装置。
【請求項３】
前記データ送信制御記憶手段は、前記情報記憶手段の情報を参照して、どの装置がデータ送信する、あるいは、どのタイミングでデータ送信する、の少なくともどちらかを決定することを特徴とする請求項１又は請求項２に記載の無線端末装置。
【請求項４】
無線通信デバイスと通信するための無線通信手段と
前記通無線信手段で取得した少なくともバッテリ残量情報を含む複数装置の情報を記憶する情報記憶手段と、
前記複数装置にデータを送信する際、前記複数のそれぞれの装置に対し、どの装置がデータ送信する、あるいは、どのタイミングでデータ送信する、の少なくともどちらかを決定し記憶するデータ送信制御記憶手段と、
を有し、
前記情報記憶手段を参照し、同一の所有者情報を有する装置が複数存在する場合、バッテリ残量が最も多い装置を送信先に設定することを特徴とする無線端末装置。
【請求項５】
無線通信デバイスと通信するための無線通信工程と
前記通無線信手段で取得した少なくともバッテリ残量情報を含む複数装置の情報を記憶する情報記憶工程と、
前記複数装置にデータを送信する際、前記複数のそれぞれの装置に対し、どの装置がデータ送信する、あるいは、どのタイミングでデータ送信する、の少なくともどちらかを決定し記憶するデータ送信制御記憶工程と、
を有し、
所定装置にデータを送信する際、前記データ送信制御記憶工程の記憶情報を付加して送信することを特徴とする無線端末装置の制御方法。
【請求項６】
無線通信デバイスと通信するための無線通信工程と
前記通無線信手段で取得した少なくともバッテリ残量情報を含む複数装置の情報を記憶する情報記憶工程と、
前記複数装置にデータを送信する際、前記複数のそれぞれの装置に対し、どの装置がデータ送信する、あるいは、どのタイミングでデータ送信する、の少なくともどちらかを決定し記憶するデータ送信制御記憶工程と、
を有し、
前記情報記憶工程を参照し、同一の所有者情報を有する装置が複数存在する場合、バッテリ残量が最も多い装置を送信先に設定することを特徴とする無線端末装置の制御方法。
【請求項７】
請求項1至請求項7の何れか１項に記載された無線端末システムとして動作することを特徴とするプログラム。
【請求項８】
請求項7に記載されたプログラムが記憶されたことを特徴とする記憶媒体。
【発明の詳細な説明】
【技術分野】
【０００１】
本発明は、無線機能を有する無線端末装置、無線端末装置の制御方法及びそのプログラムに関し、特に各種データを複数の無線端末装置と共有することが可能な無線端末装置、無線端末装置の制御方法及びそのプログラムに関するものである。
【背景技術】
【０００２】
デジタルカメラ等の撮像装置では、画像など各種データを共有するために、IrDA（登録商標）やBluetooth（登録商標）などの無線機能を備えていることが多く、PCを介さずに装置同士で直接画像データの送受信が可能となっている。
【０００３】
また、撮像装置同士の画像データの共有だけではなく、Web上の様々なインターネットサイトで画像データをPCレスで公開できるように、WiFi（登録商標）などを備えた撮像装置もある。
【０００４】
このように、接続対象が複数存在する環境で、事前に通信対象を登録することによって簡易な通信制御を実現し、操作性を向上させるため、特許文献１ではデジタルカメラに、無線通信部と、無線通信部の通信先を登録するメモリと、メモリに登録された通信先を優先して通信するように無線通信部を制御するメインCPUを設け、更に、動作モード毎に通信先を登録し、通信の優先順位の情報も合わせて登録できるようにすることが開示されている。
【先行技術文献】
【特許文献】
【０００５】
【特許文献１】特開2007-174051号公報
【発明の概要】
【発明が解決しようとする課題】
【０００６】
しかしながら、上述の特許文献1では、装置間でバッテリ残量の情報を考慮せずに優先順位に基づいてデータ送受信をするので、バッテリ残量が少ない装置が対象になった場合に、データ送受信によりバッテリ残量が低下し、その後の動作に影響を及ぼしてしまうことがあった。
【０００７】
また、データの送信元が1か所に集中しているため、データ送信元の無線端末装置がバッテリで駆動している場合、送信元だけがバッテリを多大に消費し、その後の動作に影響を及ぼしてしまうことがあった。
【０００８】
そこで、本発明の目的は、接続対象機器が複数存在する環境下でも、データの送信元の端末だけに電力負荷が集中することなく、各々の端末のバッテリ残量を考慮した上でデータの送受信をすることを可能にした無線端末装置、無線端末装置の制御方法及びそのプログラムを提供することである。
【課題を解決するための手段】
【０００９】
無線通信デバイスと通信するための無線通信手段と、前記通無線信手段で取得した少なくともバッテリ残量情報を含む複数装置の情報を記憶する情報記憶手段と、前記複数装置にデータを送信する際、前記複数のそれぞれの装置に対し、どの装置がデータ送信する、あるいは、どのタイミングでデータ送信する、の少なくともどちらかを決定し記憶するデータ送信制御記憶手段と、を有し、所定装置にデータを送信する際、前記データ送信制御記憶手段の記憶情報を付加して送信することを特徴とする。
【発明の効果】
【００１０】
本発明によれば、データの送受信後にバッテリの容量が低下することによって端末装置の操作が制限されるといったことや、データの送信元だけに電力負荷が集中することを低減することができる。
【図面の簡単な説明】
【００１１】
【図１】本発明を説明するためのブロック図
【図２】第1実施例における送信元の無線端末装置のシーケンスを説明するための図
【図３】第1実施例におけるにおける送信元の無線端末装置と受信待ちの無線端末装置301〜304の構成を説明するための図
【図４】本発明における送信元の無線端末装置30の設定値記録メモリ18に記憶されている内容を説明するための図
【図５】第1実施例において送信元の端末装置30がバッテリ残量を取得後、表示部15に表示される内容を説明するための図
【図６】本発明における画像データの転送方式を説明するための図
【図７】本発明においてリレー方式の画像データ転送方式を選択した後に表示部15に表示される内容を説明するための図
【図８】第1実施例における受信待ちの各無線端末装置のシーケンスを説明するための図
【図９】データ受信後に表示部に表示される内容を説明するための図
【図１０】第2実施例における送信元の無線端末装置のシーケンスを説明するための図
【図１１】第2実施例におけるにおける送信元の無線端末装置30と受信待ちの無線端末装置301〜305の構成を説明するための図
【図１２】第2実施例においていて送信元の端末装置30がバッテリ残量を取得後、表示部15に表示される内容を説明するための図
【図１３】第3実施例における送信元の無線端末装置のシーケンスを説明するための図
【図１４】第3実施例におけるにおける送信元の無線端末装置30と受信待ちの無線端末装置301〜305の構成を説明するための図
【図１５】第3実施例において送信元の端末装置30がバッテリ残量を取得後、表示部15に表示される内容を説明するための図
【発明を実施するための形態】
【００１２】
以下に、本発明の好ましい実施の形態を、添付の図面に基づいて詳細に説明する。
【００１３】
［実施例１］
以下、図1〜9を参照して、本発明の第1の実施例による無線端末装置について説明する。
本発明の第１の実施形態を示すブロック図を図１に示す。
【００１４】
１はズームレンズ、フォーカスレンズおよび絞りと、それらを駆動するドライバ回路を備えたモータおよびアクチュエータで構成される光学ユニットである。
【００１５】
2は被写体を示す画像光を受光面に結像して光電変換する撮像素子、3は前記撮像素子2で光電変換された画素毎の電荷を転送するための撮像信号を出力する撮像ドライバである。
【００１６】
4は前記撮像素子2から出力された撮像信号を相関二重サンプリング処理によってノイズ除去を行った後に増幅するアンプ、５は撮像信号をデジタル変換して画像データを生成するＡ／Ｄコンバータである。
【００１７】
6は入力された画像データに対して、マトリックス演算処理、ホワイトバランス調節、ガンマ処理などの各種画像処理を施す画像データ処理回路である。
【００１８】
７は前記画像データ処理回路6で処理された画像データを一時的に記憶させるフレームメモリ、8は画像データの圧縮あるいは伸張を行う圧縮伸張処理回路、9は画像ファイルを記録するメモリカードである。
【００１９】
10は前記メモリカード9に対し、圧縮された画像ファイルの書き込み、あるいは読み込みを行うリードライト回路である。
【００２０】
11は前記フレームメモリ7に記憶された測距領域に対応する画像データに基づいて焦点距離を検出するオートフォーカス（以下ＡＦ）回路である。
【００２１】
12は前記フレームメモリ7に記憶された測光領域に対応する画像データに基づいて被写体輝度を測定し、この測光値から絞り値、露出時間、図示しないストロボを発光させるか否かの露出条件を演算により求めるオートエクスポージャー（以下ＡＥ）回路である。
【００２２】
13は撮影時のホワイトバランスを自動調整するオートホワイトバランス（以下ＡＷＢ）回路、14は電源ボタン、レリーズボタン、モード切替ダイヤルなどからなる操作部である。
【００２３】
15は再生モードの際に再生画像を表示する他、撮影モードの際には被写体確認用のスルー画像を表示して電子ビューファインダとしても機能する表示部である。
【００２４】
16は画像情報の特徴を抽出する画像特徴抽出回路、17は前記電子撮像素子2で得られる画像情報の適正な画素毎の感度を算出する画素感度算出回路である。
【００２５】
18は、例えば絞り値、シャッタースピード等の露出に関わる設定値や端末情報等を記録する設定値記録メモリ、19は本発明のデジタルカメラを制御するCPUである。
【００２６】
20は画像データなど各種データを無線通信デバイスと通信するための制御を行う無線通信部であり、前記前記設定値記録メモリ18に記録されている端末情報を元に周辺デバイスと画像データなどの送受信を実施する。
【００２７】
図1では、無線端末装置の例としてデジタルカメラを例に挙げて説明したが、本発明はこれに限定されるものではなく、例えば、PDAやスマートフォンなどの無線機能を備えた端末装置でも良い。
【００２８】
第１の実施形態における、送信元の無線端末装置の動作を示すフローチャートを図2に示す。以下、フローチャートに従って説明する。
【００２９】
ステップS201 では、メモリカード9内に保存されているデータを表示部15に表示し、転送したい画像をユーザーが操作部14を用いて選択する。選択し終えたら、ステップS202に進む。
【００３０】
S202では、ユーザーが操作部14に含まれる無線釦を押下することで画像を無線で転送するメニューへ移行する。無線釦の配置場所はこれに限定されるものではなく、例えば表示部15がタッチパネルの場合は、その表示エリア内にアイコン釦として設けても良い。
【００３１】
ステップS203では、無線通信部20への電源供給を開始して、CPU19との通信を開始する。
【００３２】
ステップS204では、接続対象である各無線端末装置のバッテリ残量情報を取得する。図3のように、送信元の無線端末装置30は受信待ちの無線端末装置301〜304のバッテリ残量を各々取得する。
【００３３】
この際、バッテリ残量の取得順序は、例えば、送信元の無線端末装置30の設定値記録メモリ18に図4のように記憶されている端末情報の登録順を取得の順序にすることがあげられる。
【００３４】
バッテリ残量を取得後、ステップS205 では、送信元の端末装置30の表示部15に図5に示すように端末名とそのバッテリ残量を合わせて表示する。
【００３５】
ステップS206では、ユーザーが画像データの転送モードを選択する。転送モードは、表示部15に図5のように表示された画面から、「個別転送」、「リレー転送」のいずれかからユーザーが選択する。
【００３６】
個別転送とは、図6(a)のように、送信元の無線端末装置30が無線端末装置301〜304に1台ずつ転送するモードである。
【００３７】
一方で、リレー転送とは、図6（b）のように送信元の無線端末装置30から受信待ちの端末301〜304のいずれかを経由してリレー形式で画像データを転送するモードである。
【００３８】
個別転送の場合、送信元の無線端末装置が1台ずつ画像データを転送するため、送信元の無線端末装置30のバッテリの消費が受信待ちの無線端末装置のバッテリの消費と比較すると多くなる。
【００３９】
一方で、リレー転送の場合、送信元の無線端末装置がリレー方式で変わっていくため、送信元の無線端末装置のバッテリの消費が他の無線端末装置のバッテリの消費より際立って大きくなることはない。
【００４０】
S206でリレー転送がユーザーによって選択された場合、ステップS207に進む。
【００４１】
S207では、図7のようにバッテリ残量が多い端末を接続先候補一覧として表示部15に表示する。
【００４２】
接続先候補一覧は、送信元の無線端末のバッテリ残量によりその表示数を変更することが可能である。例えば、送信元の無線端末のバッテリ残量が多い場合は複数の接続先を候補に挙げる一方で、バッテリ残量が少ない場合は候補を単数にする。
【００４３】
ステップS208では、送信元の無線端末装置30のユーザーが表示部15に図7のように表示されている中から転送先を選択して、ステップS209で画像データを送信する。S209で画像データを転送する際、受信元が次に転送する端末の情報も合わせて転送する。
【００４４】
ステップS210では、画像データが接続先候補一覧のすべてに転送が完了しているかどうかを確認する。すべてに転送が完了していない場合にはS209に戻り、残りの転送先に画像を転送する。
【００４５】
一方で、すべてに転送が完了している場合にはステップS211に進み、無線通信部の電源をオフして、すべての処理を終了する。
【００４６】
S206で個別転送が選択された場合、ステップS212に進む。
【００４７】
S212では、送信元の無線端末装置30が受信待ちの無線端末装置に1台ずつ画像データを転送する。すべての無線端末装置に対して画像データの転送が完了したら、S211に進んで無線通信部の電源をオフして、すべての処理を終了する。
【００４８】
次に、第１の実施形態における、受信待ちの無線端末装置301の動作を示すフローチャートを図8に示す。以下、フローチャートに従って説明する。
【００４９】
ステップS801では、送信元の無線端末装置30から画像データを受信する。
【００５０】
ステップS802 では、図9のように表示されている中から次転送先を選択した後に、ステップS803で、無線端末装置301が次転送先の無線端末装置のバッテリ残量を確認する。
【００５１】
S803で、次転送先の無線端末装置のバッテリ残量が十分あると判断された場合、ステップS804に進んで、次転送先に画像を転送する。ステップS805で画像の転送が完了したかを確認し、すべての画像の転送が完了した場合には、処理を終了する。
【００５２】
一方で、S803で、次転送先の無線端末装置のバッテリ残量が十分ではないと判断された場合、ステップS806に進んで画像の転送予約をする。本実施形態では、無線端末装置301が無線端末装置303への転送予約を実施して、すべての処理を終了する。
【００５３】
以上説明したように、送信元の無線端末装置がリレー方式で変わっていくような制御をすることで、送信元の無線端末装置への電力負荷が集中することを低減することができる。
【００５４】
［実施例２］
以下、図10〜12を参照して、本発明の第2の実施例による無線端末装置に関して説明する。基本的な構成は第1の実施形態と同じであるため、差異だけを詳細に述べる。
【００５５】
本実施例では、設定値記録メモリ18に記録されている送信対象端末に同一ユーザーの装置が複数台ある場合、バッテリ残量が多い方を送受信端末に指定することで、全体での画像の送受信にかかる時間を短縮することを目的としている。
【００５６】
第2の実施形態における、送信元の無線端末装置30の動作を示すフローチャートを図10に示す。以下、フローチャートに従って説明する。
【００５７】
実施例１と同じステップ番号は動作も同じため説明も省略する。
【００５８】
ステップS213では、設定値記録メモリ18に記録されている送信対象端末に同一ユーザーの装置が複数台存在するか確認する。
【００５９】
図11のように、同一ユーザーが301と3001の複数の無線端末装置を保有している場合、送信元の端末装置30では、301と3001の無線端末装置のバッテリ残量を取得して、残量が多い方だけを装置情報のみを表示候補とする。
【００６０】
図11で、無線端末装置301のバッテリ残量は90％、無線端末装置3001のバッテリ残量は99％で、無線端末装置3001の方のバッテリ残量が多いため、図12のように表示する場合には無線端末装置3001のバッテリ残量のみを表示する。
【００６１】
一方、設定値記録メモリ18に記録されている送信対象端末に同一ユーザーの装置が複数台ない場合はステップS205に進み、取得した全端末のバッテリ残量を表示部15に表示する。
【００６２】
以上説明したように、本実施例では送信対象端末に同一ユーザーの装置が複数台ある場合にはバッテリ残量が多い方を画像データの送受信端末に指定することで、全体での画像の送受信にかかる時間を短縮することできる。
【００６３】
［実施例３］
以下、図13〜15を参照して、本発明の第3の実施例による無線端末装置に関して説明する。基本的な構成は第1、2の実施形態と同じであるため、差異だけを詳細に述べる。実施例２と同様に、実施例１と同じステップ番号は動作も同じため説明も省略する。
【００６４】
本実施例では、経由点となる無線端末装置のバッテリ残量によりそこから先の転送数を調整することで、経由点となる無線端末装置の負荷を低減することを目的としている。
【００６５】
第3の実施形態における、送信元無線端末装置30の動作を示すフローチャートを図13に示す。
【００６６】
ステップS215では、次転送先を均等に割り振り出来るかを確認する。ここでいう「次転送先」とは、受信待ちの無線端末装置に画像データを転送後、受信待ちだった無線端末装置が受信した画像データを転送する必要がある場合の転送先のことを表している。
【００６７】
図14（a）のように、均等に割り振り出来る場合はS208に進む。一方で、図14（b）に用に均等に割り振り出来ない場合は、ステップS216に進む。
【００６８】
S216では、S207で接続先候補一覧として表示されている端末で、バッテリ残量が多い方に次転送先を多く割り当てる。
【００６９】
本発明における説明では、図15に示されるように無線端末装置301の方がバッテリ残量が大きいため、次転送先を多く割り当てる。
【００７０】
以上説明したように、本実施例では経由点となる無線端末装置のバッテリ残量によりそこから先の転送数を調整することで、経由点となる無線端末装置の負荷を低減することができる。
【００７１】
［その他の実施形態］
以上、本発明の好ましい実施形態について説明したが、本発明はこれらの実施形態に限定されず、その要旨の範囲内で種々の変形及び変更が可能である。
【００７２】
また、本発明の目的は、前述した実施形態の機能を実現するソフトウェアのプログラムコードを記録した記憶媒体を、システムあるいは装置に供給するよう構成することによっても達成されることはいうまでもない。
【００７３】
この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【００７４】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００７５】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７６】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【符号の説明】
【００７７】
１・・・光学ユニット
２・・・撮像素子
３・・・撮像ドライバ
４・・・アンプ
５・・・Ａ／Ｄコンバータ
６・・・画像データ処理回路
７・・・フレームメモリ
８・・・圧縮伸張処理回路
９・・・メモリカード
１０・・・リードライト回路
１１・・・オートフォーカス（ＡＦ）回路
１２・・・オートエクスポージャー（ＡＥ）回路
１３・・・ＡＷＢ回路
１４・・・操作部
１５・・・ＬＣＤ
１６・・・画像特徴抽出回路
１７・・・画素感度算出回路
１８・・・設定値記録メモリ
１９・・・ＣＰＵ
２０・・・無線通信部
【図１】
2013183302.tif 000003
【図２】
2013183302.tif 000004
【図３】
2013183302.tif 000005
【図４】
2013183302.tif 000006
【図５】
2013183302.tif 000007
【図６】
2013183302.tif 000008
【図７】
2013183302.tif 000009
【図８】
2013183302.tif 000010
【図９】
2013183302.tif 000011
【図１０】
2013183302.tif 000012
【図１１】
2013183302.tif 000013
【図１２】
2013183302.tif 000014
【図１３】
2013183302.tif 000015
【図１４】
2013183302.tif 000016
【図１５】
2013183302.tif 000017